(57)【要約】【要  約】【課  題】    換気用の送風装置を室内機内に設けてコンパクトにするとともに、室内機内の通風ダクトや送風装置の結露を抑制する。【解決手段】  空気調和装置は、室内機（１）からの冷媒配管（２）が、建屋の孔（４）を通って屋外に導き出されて、室外機（３）に接続されているとともに、前記建屋の孔には通風ダクト（２３，２４）が挿入されており、前記室内機の内部に設けられた換気用の送風装置（２１，７０）が前記通風ダクトに接続されている。そして、室内の冷房運転中に、外気温と屋外湿度とから求められた露点温度が室温よりも高い際には、換気用の送風装置の給気運転を停止させるべく制御する制御手段（４６）が設けられている。【選択図】  図１１
2006170596.tif 000002
【特許請求の範囲】
【請求項１】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続されている空気調和装置において、
前記室内の冷房運転中に、外気温と屋外湿度とから求められた露点温度が室温よりも高い際には、前記換気用の送風装置の給気運転を停止させるべく制御する制御手段が設けられていることを特徴とする空気調和装置。
【請求項２】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続されている空気調和装置において、
前記室内の冷房運転中に、室温と室内湿度とから求められた露点温度が外気温よりも高く、かつ、室温が外気温よりも高い際には、前記換気用の送風装置の給気運転を停止させるべく制御する制御手段が設けられていることを特徴とする空気調和装置。
【請求項３】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続されている空気調和装置において、
前記室内の暖房運転中に、室温と室内湿度とから求められた露点温度に補正値を加算した値が外気温よりも高い際には、前記換気用の送風装置の給気運転を停止させるべく制御する制御手段が設けられていることを特徴とする空気調和装置。
【請求項４】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続されている空気調和装置において、
前記室内の暖房運転中に、外気温と屋外湿度とから求められた露点温度が室温よりも高く、かつ、外気温が室温よりも高い際には、前記換気用の送風装置の給気運転を停止させるべく制御する制御手段が設けられていることを特徴とする空気調和装置。
【請求項５】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続されている空気調和装置において、
外気温が０℃以下の際には、前記換気用の送風装置の給気運転を停止させるべく制御する制御手段が設けられていることを特徴とする空気調和装置。
【請求項６】
室内機からの冷媒配管が、建屋の孔を通って屋外に導き出されて、室外機に接続されているとともに、前記建屋の孔には通風ダクトが挿入されており、前記室内機の内部に設けられた換気用の送風装置が前記通風ダクトに接続されている空気調和装置において、
前記室内の冷房運転中に、外気温と屋外湿度とから求められた露点温度が室温よりも高い際、または、
前記室内の冷房運転中に、室温と室内湿度とから求められた露点温度が外気温よりも高く、かつ、室温が外気温よりも高い際、または、
前記室内の暖房運転中に、室温と室内湿度とから求められた露点温度に補正値を加算した値が外気温よりも高い際、または、
前記室内の暖房運転中に、外気温と屋外湿度とから求められた露点温度が室温よりも高く、かつ、外気温が室温よりも高い際、または、
外気温が０℃以下の際の何れかの場合には、前記換気用の送風装置の給気運転を停止させるべく制御する制御手段が設けられていることを特徴とする空気調和装置。
【請求項７】
屋外湿度は予め定めた想定湿度に置き換えた値であることを特徴とする請求項１ないし６に記載の空気調和装置。
【請求項８】
室温には、上限値または下限値の少なくともいずれか一方が設けられていることを特徴とする請求項１または４に記載の空気調和装置。
【発明の詳細な説明】
【技術分野】
【０００１】
本発明は、空気調和装置に関し、特に、その換気に関する。
【背景技術】
【０００２】
従来、ルームエアコンなどの空気調和装置は一般的には、換気機能を有しておらず、室内の空気が汚れた際などには適宜、人が窓を開けるなどして、外気を取り入れて換気する必要があった。
【０００３】
そこで、従来より、空気調和装置に換気装置を設けたものが提案されている。たとえば特許文献１に記載されているように、給気ダクトと排気ダクトとを設け、この給気ダクトに給気用送風機を、また、排気ダクトに排気用送風機を設けた空気調和装置がある。
【特許文献１】特開２００１−３０４６４５号公報
【発明の開示】
【発明が解決しようとする課題】
【０００４】
ところで、コンパクトにするために、換気用の送風装置を室内機内に設けることが検討されている。しかしながら、室内機内に、換気用の送風装置を設けると、通風ダクトや送風装置が結露することがある。
【０００５】
解決しようとする問題点は、換気用の送風装置が室内機内に設けられている空気調和装置において、通風ダクトや送風装置に結露が発生する点である。
【課題を解決するための手段】
【０００６】
本発明の空気調和装置は、室内機（１）からの冷媒配管（２）が、建屋の孔（４）を通って屋外に導き出されて、室外機（３）に接続されているとともに、前記建屋の孔には通風ダクト（２３，２４）が挿入されており、前記室内機の内部に設けられた換気用の送風装置（２１，７０）が前記通風ダクトに接続されている。そして、室内の冷房運転中に、外気温と屋外湿度とから求められた露点温度が室温よりも高い際（条件Ａ１）には、換気用の送風装置の給気運転を停止させるべく制御する制御手段（４６）が設けられている。
【０００７】
また、室内の冷房運転中に、室温と室内湿度とから求められた露点温度が外気温よりも高く、かつ、室温が外気温よりも高い際（条件Ａ２）には、換気用の送風装置の給気運転を停止させるべく制御する制御手段が設けられていることがある。
【０００８】
さらに、室内の暖房運転中に、室温と室内湿度とから求められた露点温度に補正値を加算した値が外気温よりも高い際（条件Ａ３）には、換気用の送風装置の給気運転を停止させるべく制御する制御手段が設けられていることがある。
【０００９】
そして、室内の暖房運転中に、外気温と屋外湿度とから求められた露点温度が室温よりも高く、かつ、外気温が室温よりも高い際（条件Ａ４）には、換気用の送風装置の給気運転を停止させるべく制御する制御手段が設けられていることがある。
【００１０】
また、外気温が０℃以下の際（条件Ａ５）には、換気用の送風装置の給気運転を停止させるべく制御する制御手段が設けられていることがある。
さらに、上記条件Ａ１〜条件Ａ５の何れかの場合に、換気用の送風装置の給気運転を停止させるべく制御する制御手段が設けられていることがある。
【００１１】
そして、屋外湿度は予め定めた想定湿度に置き換えた値であることがある。
また、室温には、上限値または下限値の少なくともいずれか一方が設けられていることがある。
【発明の効果】
【００１２】
本発明によれば、換気用の送風装置を室内機内に設けてコンパクトにするとともに、室内機内において通風ダクトや送風装置に、結露が給気により生じる可能性がある条件の際には、制御手段が給気運転を停止させているので、室内機内の通風ダクトや送風装置の結露を抑制することができる。
【発明を実施するための最良の形態】
【００１３】
換気用の送風装置が室内機内に設けられている空気調和装置において、通風ダクトや送風装置に結露が発生することを抑制するという目的を、制御手段が、給気禁止条件（条件Ａ１〜条件Ａ５）に該当する際に、給気運転を停止させることで実現した。
【実施例１】
【００１４】
次に、本発明における空気調和装置の第１実施例について、図１ないし図１１を用いて説明する。図１は本発明における空気調和装置の室内機および室外機の斜視図である。図２は室内機の断面図である。図３は室内機の要部の一部切欠き斜視図である。図４はリモコンの説明図で、（ａ）が正面図、（ｂ）が前面扉を外した状態の正面図である。図５は空気調和装置の制御の説明図で、（ａ）が運転パターンの表、（ｂ）が制御装置の入出力図である。図６は給排気運転時の概略の説明図である。図７はダブル排気時の概略の説明図である。図８は操作部から換気運転モードの指示があった際のフローチャートである。図９は空気汚染センサの検出に基づく自動換気運転の際のフローチャートである。図１０は第１送風装置が給気状態の一部切欠き斜視図である。図１１は結露防止制御のフローチャートである。なお、図５（ｂ）においては、換気に関する主な部品のみが記載されており、図示されていない他の部品も制御装置に接続されている。
【００１５】
まず始めに、空気調和装置の全体構成を説明する。
図１において、空気調和装置は、室内機１および、この室内機１と冷媒配管２で接続される室外機３を備えている。室内機１は屋内に設置され、一方、室外機３は屋外に設置されており、冷媒配管２は、建屋に形成された孔４を通って、室内機１と室外機３とを接続している。また、室外機３は、冷媒を圧縮する圧縮機（図示しない）、室外機用熱交換器（図示しない）、冷媒の循環流路を切り換える冷媒流路切換弁（図示しない）および熱交換器用送風機（図示しない）などの機器を具備している。そして、室外機３の運転時には、冷凍サイクルの冷媒が室外機３から暖冷房のために冷媒配管２を介して室内機１に循環している。
【００１６】
図２において、室内機１は、室内機用熱交換器６および循環用送風機７を具備している。室内機１の前面には、可動な前面パネル８が設けられ、この前面パネル８の後側に、空気吸込口１１が設けられている。室内機１の稼働中は、前面パネル８は前側に移動して、空気吸込口１１から室内の空気を室内機１内に取り込むことが可能となる。また、室内機１の停止時には、前面パネル８は後側すなわち空気吸込口１１側に移動して見栄えを良好にしている。室内機１の下側には、空気吹出口１２が設けられている。空気吸込口１１と室内機用熱交換器６との間には、フィルタ１３が設けられている。また、室内機用熱交換器６の上側には、紫外線ランプ装置１４が配置されている。
【００１７】
そして、室内機１の循環用送風機７が稼働すると、室内の空気が、空気吸込口１１から吸い込まれ、フィルタ１３で濾過された後に、室内機用熱交換器６で熱交換され、空気吹出口１２から室内に吹き出している。この様にして、循環用送風機７で室内の空気を循環させながら、この空気を室内機用熱交換器６で熱交換している。
【００１８】
また、空気吹出口１２には、空気の吹き出し方向を変更するための、ルーバー１６，１７が設けられている。左右動ルーバー１６は、空気の吹き出しの左右方向の向きを変え、上下動ルーバー１７は、空気の吹き出しの上下方向の向きを変える。
【００１９】
図３において、室内機１内の端部には、第１送風装置２１および第２送風装置２２が設けられている。そして、図１および図６において、各送風装置２１，２２は、通風ダクトである通風管２３，２４が接続され、この通風管２３，２４が、冷媒配管２と同様にして、建屋に形成された孔４を通って、屋外に導かれ、外気と連通している。
【００２０】
図６において、第１送風装置２１は給排両用送風装置で、第１送風機３１、吸込側ダンパー３２および吐出側ダンパー３３を具備している。第１送風機３１は、十分な風量を得ることができるシロッコファンであり、稼働時には、一定方向に空気を流す。また、図６および図７に図示するように、第１送風機３１の吸込側は、吸込側ダンパー３２により、第１通風管２３または室内機１内の空間の何れかに選択的に接続される。一方、第１送風機３１の吐出側は、吐出側ダンパー３３により、第１通風管２３または室内機１内の空間の何れかに選択的に接続される。この様に、ダンパー３２，３３は、空気の流れを切り換える風路切換手段として機能する。そして、この第１送風装置２１が給気運転の場合には、図６に図示するように、各ダンパー３２，３３は給気切換位置に切り換わる。すなわち、吸込側ダンパー３２は第１送風機３１の吸込側を第１通風管２３に接続するとともに、吐出側ダンパー３３は第１送風機３１の吐出側を室内機１内の空間に接続する。一方、第１送風装置２１が排気運転の場合には、図７に図示するように、各ダンパー３２，３３は排気切換位置に切り換わる。すなわち、吸込側ダンパー３２は第１送風機３１の吸込側を室内機１内の空間に接続するとともに、吐出側ダンパー３３は第１送風機３１の吐出側を第１通風管２３に接続する。
【００２１】
第２送風装置２２は排気専用送風装置で、第２送風機４１を具備しているが、第１送風装置２１と異なり、風路切換手段であるダンパーは具備していない。第２送風機４１は、第１送風機３１と同様にシロッコファンであり、稼働時には、一定方向に空気を流す。図６および図７に図示するように、第２送風機４１は、その吸込側が室内機１内の空間に接続され、また、吐出側は第２通風管２４に接続される。この様に、第１送風装置２１が給排両用送風装置で、第２送風装置２２が排気専用送風装置であるので、図５（ａ）に示すように、この第１実施例の空気調和装置の換気パターンには、給排気運転、単独給気運転、単独排気運転およびダブル排気運転の４種類ある。
【００２２】
空気調和装置の制御手段である制御装置４６は、室内機１内のマイコンなどで構成され、空気調和装置の運転を制御している。そして、特に換気や結露防止に関して、図５（ｂ）に図示するように、制御装置４６には、室内機用熱交換器６付近に配置されて二酸化炭素ガスの濃度を検出するＣＯ２センサ４７、室内機用熱交換器６付近に配置されて煙草の煙の濃度を検出するガスセンサ４８、操作部としてのリモコン４９、外気温を検出する外気温センサ５１、屋外湿度を検出する屋外湿度センサ５２、室温を検出する室温センサ５３、および、室内湿度を検出する室内湿度センサ５４からの信号が入力される。ＣＯ２センサ４７およびガスセンサ４８は、空気の汚染を検出する空気汚染センサとして機能している。また、制御装置４６から、第１送風装置２１の第１送風機３１、ダンパー３２，３３および第２送風装置２２の第２送風機４１などに駆動信号が出力される。さらに、制御装置４６には、その他、室内機１の各種機器および室外機３の各種機器などが入力や出力可能に接続されている。
【００２３】
リモコン４９は、図４に図示するように、表示部６１および、開閉可能な前面扉６２を具備している。そして、各種の操作ボタン６３が、前面扉６２やリモコン４９の本体に複数設けられている。換気に関する操作ボタンである換気切換ボタン６３ａおよび換気風量ボタン６３ｂは、図４（ｂ）に図示するように、前面扉６２を開けると露出し、操作可能となる。また、空気の汚染度に応じて、自動的に換気させる操作ボタンである換気空清ボタン６３ｃは、図４（ａ）に図示するように、前面扉６２に設けられている。換気切換ボタン６３ａを押すと、順次、給気および排気の両者を行う給排気運転、給気のみを行う給気運転および、排気のみを行う排気運転を室内機１本体の制御装置４６に指示することができるとともに、その換気運転モードが表示部６１に表示される。また、換気風量ボタン６３ｂを押すと、順次、換気風量の指示を強、中、弱にすることができ、その指示が室内機１本体の制御装置４６に入力される。そして、リモコン４９の本体には、手動で暖房運転を指示するための暖房ボタン６３ｄや、手動で冷房運転を指示するための冷房ボタン６３ｅが設けられている。
【００２４】
次に、換気運転モードが指示された際の運転のフローを、図８のフローチャートに基づいて説明する。
ステップ１において、換気切換ボタン６３ａが押される毎に、給排気運転、給気運転、排気運転に切り換わり、この指示がリモコン４９から制御装置４６に行く。また、換気風量ボタン６３ｂが押される度に、指示される風量が強、中、弱に切り換わり、この指示もリモコン４９から制御装置４６に行く。風量の調整は送風機３１，４１の回転数を変えることおよび、稼働される送風機３１，４１の個数（すなわち、単独かダブルか）で行われる。そして、制御装置４６は、排気運転で風量が中および弱の場合には単独排気を行い、一方、排気運転で風量が強の場合にはダブル排気を行う。なお、この第１実施例の場合には、給気運転は、ダブル給気は行えず、単独給気のみが行われる。
【００２５】
制御装置４６は、給排気運転の場合にはステップ２に行き、単独給気の場合にはステップ５に行き、単独排気の場合にはステップ８に行き、ダブル排気の場合にはステップ１１に行く。
【００２６】
ステップ２において、制御装置４６はダンパー３２，３３に給気切換位置に切り換わるように駆動信号を出力する。なお、ダンパー３２，３３が既に給気切換位置にある場合には、制御装置４６はダンパー３２，３３をその位置に維持させる。なお、制御装置４６から信号を出力する前に、指示すべき状態にある場合にはその状態を維持させることは当然であるので、以下はその記載を省略する。そして、ステップ３に行く。
【００２７】
ステップ３において、制御装置４６は第１送風機３１に稼働信号を出力し、第１送風機３１を稼働させる。すると、給排両用送風装置である第１送風装置２１が、給気運転を行う。そして、ステップ４に行く。
【００２８】
ステップ４において、制御装置４６は排気専用送風装置である第２送風装置２２に稼働信号を出力し、第２送風装置２２を稼働させて、ステップ１に戻る。そして、再度、リモコン４９が操作され、換気運転モードが変更されるまで、その状態を維持する。
【００２９】
そして、ステップ１において単独給気の場合には、ステップ５に行く。ステップ５および６において、ステップ２および３と同様にして、制御装置４６は、給排両用送風装置である第１送風装置２１を、給気運転させる。そして、ステップ７に行く。
【００３０】
ステップ７において、制御装置４６は排気専用送風装置である第２送風装置２２を停止し、ステップ１に戻り、換気運転モードが変更されるまで、その状態を維持する。
【００３１】
また、ステップ１において単独排気の場合にはステップ８に行く。ステップ８において、制御装置４６はダンパー３２，３３に信号を出力せずに、ステップ９に行く。
【００３２】
ステップ９において、制御装置４６は第１送風機３１に停止信号を出力し、第１送風機３１を停止させる。すると、給排両用送風装置である第１送風装置２１が、停止する。そして、ステップ１０に行く。
【００３３】
ステップ１０において、制御装置４６は排気専用送風装置である第２送風装置２２に稼働信号を出力し、第２送風装置２２を稼働させて、ステップ１に戻る。そして、再度、換気運転モードが変更されるまで、その状態を維持する。
【００３４】
そして、ステップ１においてダブル排気の場合にはステップ１１に行く。ステップ１１において、制御装置４６はダンパー３２，３３に排気切換位置に切り換わるように駆動信号を出力する。そして、ステップ１２に行く。
【００３５】
ステップ１２において、制御装置４６は第１送風機３１に稼働信号を出力し、第１送風機３１を稼働させる。すると、給排両用送風装置である第１送風装置２１が、排気運転を行う。そして、ステップ１３に行く。
【００３６】
ステップ１３において、制御装置４６は排気専用送風装置である第２送風装置２２に稼働信号を出力し、第２送風装置２２を稼働させて、ステップ１に戻る。そして、再度、リモコン４９が操作され、換気運転モードが変更されるまで、その状態を維持する。
【００３７】
次に、ＣＯ２センサ４７やガスセンサ４８などの空気汚染センサの検出した空気汚染度に基づいて行われる換気運転のフローを、図９のフローチャートに基づいて説明する。
【００３８】
ステップ２０において、リモコン４９の換気空清ボタン６３ｃが押されると、換気空気清浄運転（すなわち、空気汚染度に基づく自動換気運転）の指示信号が制御装置４６に送信され、換気空気清浄運転が開始する。そして、ステップ２１に行く。
【００３９】
ステップ２１において、ＣＯ２センサ４７やガスセンサ４８の検出値である空気汚染度が制御装置４６に入力される。そして、ステップ２２に行く。ステップ２２において、制御装置４６はその空気汚染度が、予め設定されている高位設定値および中位設定値と比較して、高、中、低を決定し、高の場合にはステップ２３に行き、中の場合にはステップ２４に行き、低の場合にはステップ２５に行く。
【００４０】
そして、ステップ２３において、制御装置４６は、前述のステップ１１〜１３を実行し、ダブル排気運転を行う。そして、ステップ２１に戻り、空気汚染度が高以外になるまで、その状態を維持する。
【００４１】
また、ステップ２４において、制御装置４６は、前述のステップ８〜１０を実行し、単独排気運転を行う。そして、ステップ２１に戻り、空気汚染度が中以外になるまで、その状態を維持する。
【００４２】
さらに、ステップ２５において、制御装置４６は、送風装置２１，２２に停止信号を出力し、送風装置２１，２２を停止させる。そして、ステップ２１に戻り、空気汚染度が低以外になるまで、その停止状態を維持する。
【００４３】
この様にして、空気汚染度が高の場合にはダブル排気運転を、また、中の場合には単独排気運転を行い、さらに、低の場合には排気運転を停止させる。
【００４４】
ところで、第１送風装置２１が給気運転している際には、図１０において矢印で図示するように、第１通風管２３からの外気は、第１送風装置２１内の風路を通って、紫外線ランプ装置１４のケース内を通過して室内機１の内部空間に流れる。その際に、給気する外気温が低く、かつ、室内の温度または湿度の少なくともいずれかが高いと、第１通風管２３や、第１送風装置２１のケースの外側に結露が生じることがある。また、外気の温度および湿度が高く、かつ、室温が低いと、第１通風管２３や、第１送風装置２１のケースの内面に結露が生じることがあるとともに、第１送風機３１の羽根などにも結露が生じることがある。
【００４５】
そこで、室内機１内において結露が生じる可能性が高い条件の際には、給気運転を停止させている。その結露防止制御のフローを、図１１のフローチャートに基づいて説明する。
【００４６】
ステップ３１において、所定の時間間隔（たとえば１０分間隔であり、特に限定されるものではなく、また、連続して動作させてもよい）毎に、外気温センサ５１、屋外湿度センサ５２、室温センサ５３および室内湿度センサ５４から検出値を入手し、ステップ３２に行く。
【００４７】
そして、ステップ３２において、外気温、屋外湿度、室温や室内湿度に基づいて、後述する給気禁止条件か否かを判定し、給気禁止条件ではない時にはステップ３３に行き、給気禁止条件に該当する時にはステップ３４に行く。
【００４８】
ついで、ステップ３３では、給気禁止条件ではないので、リモコン４９などで指示された換気モードで換気を行う。そして、ステップ３１に戻る。
【００４９】
一方、ステップ３４では、給気禁止条件に該当するので、排気運転は行うが、給気運転は、リモコン４９などで指示された換気モードに係わらず、行わない。そして、ステップ３１に戻る。
【００５０】
この様にして、室内機１内において結露が生じる可能性がある際（すなわち、給気禁止条件の際）には、給気を停止して室内機１内の結露を防止している。その給気禁止条件は下記のＡ１〜Ａ５の５条件である。
条件Ａ１は、下記の事項ｂ１および事項ｂ２の両者を満たした場合である。
事項ｂ１：自動調温モード（すなわち、室温などに基づいて暖房運転または冷房運転が自動的に切り換わる自動モード）により冷房が選択されていること。すなわち、冷房運転が行われていること。
事項ｂ２：外気温と屋外湿度とから求められた露点温度が室温よりも高いこと。
【００５１】
条件Ａ２は、上記事項ｂ１、下記事項ｂ３および事項ｂ４の全てを満たした場合である。
事項ｂ３：室温と室内湿度とから求められた露点温度が外気温よりも高いこと。
事項ｂ４：室温が外気温よりも高いこと。
【００５２】
条件Ａ３は、下記の事項ｂ５および事項ｂ６の両者を満たした場合である。
事項ｂ５：自動調温モードにより暖房が選択されていること。すなわち、暖房運転が行われていること。
事項ｂ６：室温と室内湿度とから求められた露点温度に補正値（たとえば、定数）を加算した値が外気温よりも高いこと。
【００５３】
条件Ａ４は、上記の事項ｂ２、事項ｂ５および下記事項ｂ７の全てを満たした場合である。
事項ｂ７：外気温が室温よりも高いこと。
【００５４】
条件Ａ５は、下記事項ｂ８を満たした場合である。
事項ｂ８：外気温が０℃以下であること。
【００５５】
この様にして、制御手段として制御装置は、１）自動調温モードにより冷房が選択されているか否かを判断する手段、２）外気温と屋外湿度とから求められた露点温度が室温よりも高いか否かを判断する手段、および３）上記判断手段により給気禁止条件に該当すると判断した際に、換気用の送風装置の給気運転を停止させる手段などを具備している。
【００５６】
そして、制御手段は、上記手段以外にも、実行される各工程に対応して各工程を実行する手段を具備している。また、上記手段を全て具備する必要は必ずしもない。
【実施例２】
【００５７】
次に、本発明における空気調和装置の第２実施例について説明する。図１２は第２実施例の空気調和装置の制御の運転パターンの表である。図１３はダブル給気時の概略の説明図である。なお、この第２実施例の説明において、前記第１実施例の構成要素に対応する構成要素には同一符号を付して、その詳細な説明は省略する。
【００５８】
前述の第１実施例では第２送風装置２２は排気専用送風装置であるが、第２実施例では、この第２送風装置２２に代えて、第２送風装置７０が設けられている。第２送風装置７０は、第１送風装置２１と同じ給排両用送風装置で、第２送風機７１、吸込側ダンパー７２および吐出側ダンパー７３を具備している。この第２送風機７１、吸込側ダンパー７２および吐出側ダンパー７３は、第１送風装置２１の第１送風機３１、吸込側ダンパー３２および吐出側ダンパー３３と同じ構造で、同じ働きをしており、第２送風装置７０は、給気および排気の両者を行うことができる。したがって、第２実施例では、図１２に示すように、ダブル給気運転を行うことができる。
【００５９】
次に、この第２実施例の空気調和装置において、換気運転モードが指示された際の運転のフローを説明する。なお、追加または修正されるステップのみを記載する。図８のステップ１において、給気運転時に、制御装置４６は、風量が中および弱の場合には単独給気を行い、一方、風量が強の場合にはダブル給気を行う。そして、ダブル給気の際には、図８に図示するフローに下記ステップ１４〜１６（図示は省略）が追加される。第１送風装置２１を給気運転させる（ステップ１４）とともに、ダンパー７２，７３を給気切換位置にし（ステップ１５）、第２送風機７１を稼働させる（ステップ１６）。すると、図１３に図示するように、第１送風装置２１および第２送風装置７０の両者が給気運転する。
【００６０】
また、ステップ４，７，１０，１３は、第２送風装置７０は給排両用送風装置であるので、「排気専用装置」の表示は「給排両用送風装置」となり、また、「稼働」の表示は「排気運転」となる。そして、第２送風装置７０を排気運転させるフローは、第１送風装置２１を排気運転させるフロー（ステップ１１，１２）と同じであり、ダンパー７２，７３を排気切換位置にし、第２送風機７１を稼働させる。
【００６１】
さらに、結露防止制御は、第２送風装置７０に対しても行われ、給気禁止条件に該当する際には、第１送風装置２１だけでなく、第２送風装置７０の給気運転も停止される。
【００６２】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）送風機は遠心送風型のシロッコファンであることが好ましいが、軸流ファンなどの他の形式の送風機であることも可能である。
【００６３】
（２）各フローチャートのステップの順序は適宜変更可能である。
（３）制御手段はマイコンで構成されているが、それ以外の構成でも可能である。
【００６４】
（４）冷媒配管２と通風管２３，２４は、建屋の同じ孔に挿入されることも可能であるし、また、各々別の孔に挿入されることも可能である。なお、建屋の空気調和装置用の孔には、冷媒配管２や通風管２３，２４以外に、ドレンパイプ、電力線や通信線などを挿入することも可能である。
（５）空気汚染度に基づく自動換気の際に、単独排気運転やダブル排気運転を行っているが、単独給気運転やダブル給気運転を行うことも可能である。
【００６５】
（６）空気汚染センサは、室内の空気の汚れを検出することができるならば、適宜選択可能で、ＣＯ２センサやガスセンサ以外のセンサでも可能である。
（７）空気汚染度に基づく自動換気運転の際に、送風量を単独排気運転やダブル排気運転で切り換えているが、送風機の回転数を変更することで、空気汚染度に応じて送風量を調整することも可能である。たとえば、給排気運転、単独排気運転または単独給気運転などで、制御装置により、空気汚染度に応じて、送風機の回転数を変更することも可能である。
【００６６】
（８）湿度は、直接的または間接的に求めることができればよく、湿度センサ５２，５４で直接検出することも可能であるし、また、外気温や室温に基づいてテーブルなどにより間接的に求めることも可能である。
【００６７】
（９）給気禁止条件は、必ずしも、上記条件Ａ１〜Ａ５に限定されず、他の条件を付加することも可能であるし、また、条件Ａ１〜Ａ５の一部を除くことも可能である。
（１０）室温に上限値または下限値の少なくともいずれか一方が設けられていることが可能である。
【産業上の利用可能性】
【００６８】
換気用の送風装置が室内機内に設けられているとともに、制御手段が、給気禁止条件（条件Ａ１〜条件Ａ５）に該当する際に、給気運転を停止させることにより、室内機内において通風ダクトや換気用の送風装置に結露が発生することを抑制することができる。したがって、空気調和とともに換気を行う空気調和装置に適用することが最適である。
【図面の簡単な説明】
【００６９】
【図１】図１は本発明における空気調和装置の室内機および室外機の斜視図である。
【図２】図２は室内機の断面図である。
【図３】図３は室内機の要部の一部切欠き斜視図である。
【図４】図４はリモコンの説明図で、（ａ）が正面図、（ｂ）が前面扉を外した状態の正面図である。
【図５】図５は空気調和装置の制御の説明図で、（ａ）が運転パターンの表、（ｂ）が制御装置の入出力図である。
【図６】図６は給排気運転時の概略の説明図である。
【図７】図７はダブル排気時の概略の説明図である。
【図８】図８は操作部から換気運転モードの指示があった際のフローチャートである。
【図９】図９は空気汚染センサの検出に基づく自動換気運転の際のフローチャートである。
【図１０】図１０は第１送風装置が給気状態の一部切欠き斜視図である。
【図１１】図１１は結露防止制御のフローチャートである。
【図１２】図１２は第２実施例の空気調和装置の制御の運転パターンの表である。
【図１３】図１３はダブル給気時の概略の説明図である。
【符号の説明】
【００７０】
１  室内機
２  冷媒配管
３  室外機
４  建屋の孔
２１  第１送風装置
２３  第１通風管（通風ダクト）
２４  第２通風管（通風ダクト）
４６  制御装置（制御手段）
４７  ＣＯ２センサ（空気汚染センサ）
４８  ガスセンサ（空気汚染センサ）
５１  外気温センサ
５２  屋外湿度センサ
５３  室温センサ
５４  室内湿度センサ
７０  第２送風装置
【図１】
2006170596.tif 000003
【図２】
2006170596.tif 000004
【図３】
2006170596.tif 000005
【図４】
2006170596.tif 000006
【図５】
2006170596.tif 000007
【図６】
2006170596.tif 000008
【図７】
2006170596.tif 000009
【図８】
2006170596.tif 000010
【図９】
2006170596.tif 000011
【図１０】
2006170596.tif 000012
【図１１】
2006170596.tif 000013
【図１２】
2006170596.tif 000014
【図１３】
2006170596.tif 000015